【手続補正書】
【提出日】平成17年1月31日(2005.1.31)
【手続補正１】
【補正対象書類名】明細書
【補正対象項目名】特許請求の範囲
【補正方法】変更
【補正の内容】
【特許請求の範囲】
【請求項１】
複数の信号成分からなる画像データの符号化処理を実行する符号化処理装置であり、
画像を構成する分割画素領域をブロックとして設定するブロック分割手段と、
前記ブロック分割手段において設定されたブロック内に含まれる画素に対応する複数の信号成分の相関を判定する相関判定手段と、
前記複数の信号成分に対応する量子化データを生成する量子化処理手段であり、前記相関判定手段において相関ありと判定された信号成分についての量子化コード（Ｑコード）を共有化した符号化データを生成する量子化処理手段と、
を有することを特徴とする符号化処理装置。
【請求項２】
前記相関判定手段は、
前記複数の信号成分の量子化コードを選択的に共有化した複数の共有パターンにおける量子化データの復号画素値と元画素値との差分に基づくＳＮ比検証に基づいて各信号成分の相関を判定する構成であり、
前記量子化処理手段は、
前記ＳＮ比検証に基づいて相関ありと判定された信号成分の量子化コードを共有化した符号化データを生成する構成であることを特徴とする請求項１に記載の符号化処理装置。
【請求項３】
前記相関判定手段は、
前記複数の信号成分の量子化コードのビットパターン比較処理を実行し、該比較処理に基づいて各信号成分の相関を判定する構成であり、
前記量子化処理手段は、
前記ビットパターン比較処理に基づいて相関ありと判定された信号成分の量子化コードを共有化した符号化データを生成する構成であることを特徴とする請求項１に記載の符号化処理装置。
【請求項４】
前記量子化処理手段は、
前記複数の信号成分中、相関ありと判定された複数の信号成分に対応する共有型の量子化コードと、相関なしと判定された信号成分に対応する非共有型の量子化コードとを格納した符号化データを生成する構成であることを特徴とする請求項１に記載の符号化処理装置。
【請求項５】
前記量子化処理手段の適用する量子化処理は、
ＡＤＲＣ（Adaptive Dynamic Range Coding）に基づく処理であり、
前記ブロック分割手段の設定したブロックの画素値の最小値（ＭＩＮ）、およびダイナミックレンジ（ＤＲ）に基づいて量子化コードを算出する処理を実行する構成であることを特徴とする請求項１に記載の符号化処理装置。
【請求項６】
前記符号化処理装置は、
複数の信号成分の量子化コードの共有パターンを識別する識別コードを付加した符号化データを出力する構成であることを特徴とする請求項１に記載の符号化処理装置。
【請求項７】
複数の信号成分からなる画像データの符号化処理を実行する符号化処理装置であり、
画像を構成する分割画素領域をブロックとして設定するブロック分割手段と、
前記ブロック分割手段において設定されたブロック内に含まれる画素に対応する複数の信号成分の相関を判定する相関判定手段と、
前記複数の信号成分に対応する量子化データを生成する量子化処理手段であり、前記相関判定手段において相関ありと判定された信号成分についての最小値（ＭＩＮ）、またはダイナミックレンジ（ＤＲ）の少なくともいずれかを共有化した符号化データを生成する量子化処理手段と、
を有することを特徴とする符号化処理装置。
【請求項８】
前記相関判定手段は、
前記ブロック内に含まれる複数画素に対応する複数の信号成分各々についての少なくとも標準偏差の検証に基づいて、各信号成分の相関を判定する構成であり、
前記量子化処理手段は、
前記標準偏差検証に基づいて相関ありと判定された信号成分の最小値（ＭＩＮ）、またはダイナミックレンジ（ＤＲ）の少なくともいずれかを共有化した符号化データを生成する構成であることを特徴とする請求項７に記載の符号化処理装置。
【請求項９】
前記相関判定手段は、さらに、
前記ブロック内に含まれる複数画素に対応する複数信号成分の各々の成分値に基づいて算出されるダイナミックレンジ、または複数信号成分の各々の成分値に基づいて算出される平均値の検証に基づいて、各信号成分の相関を判定する構成であり、
前記量子化処理手段は、
前記ダイナミックレンジ、または平均値検証に基づいて相関ありと判定された信号成分の最小値（ＭＩＮ）、またはダイナミックレンジ（ＤＲ）の少なくともいずれかを共有化した符号化データを生成する構成であることを特徴とする請求項８に記載の符号化処理装置。
【請求項１０】
前記量子化処理手段の適用する量子化処理は、
ＡＤＲＣ（Adaptive Dynamic Range Coding）に基づく処理であり、
前記複数の信号成分値に対応する共有化された最小値（ＭＩＮ）、およびダイナミックレンジ（ＤＲ）に基づいて量子化コードを算出する処理を実行する構成であることを特徴とする請求項７に記載の符号化処理装置。
【請求項１１】
前記符号化処理装置は、
量子化対象の信号成分の最小値（ＭＩＮ）、またはダイナミックレンジ（ＤＲ）を共有したか否かを識別する識別コードを付加した符号化データを出力する構成であることを特徴とする請求項７に記載の符号化処理装置。
【請求項１２】
前記複数の信号成分はＲ、Ｇ、Ｂ各信号成分であることを特徴とする請求項１または７に記載の符号化処理装置。
【請求項１３】
符号化画像データの復号処理を実行する復号処理装置であり、
前記画像データを構成するブロック単位の符号化データとしてのブロック情報に格納された量子化コード（Ｑコード）を画素値を示す複数の信号成分について共有化した符号化データを入力し、該符号化データに格納された識別コードに基づいて量子化コード共有パターンを識別する符号化データ解析手段と、
前記符号化データ解析手段における識別結果に基づいて、共有化された量子化コードに基づく復号処理を実行する復号処理手段と、
を有することを特徴とする復号処理装置。
【請求項１４】
前記復号処理手段の適用する復号処理は、ＡＤＲＣ（Adaptive Dynamic Range Coding）に対応する逆量子化処理であり、前記ブロックに対応する最小値（ＭＩＮ）、およびダイナミックレンジ（ＤＲ）および量子化コードに基づいて復元画素値を算出する処理を実行する構成であることを特徴とする請求項１３に記載の復号処理装置。
【請求項１５】
符号化画像データの復号処理を実行する復号処理装置であり、
前記画像データを構成するブロック単位の符号化データとしてのブロック情報に格納されたブロック内画素値の最小値またはダイナミックレンジの少なくともいずれかを画素値を示す複数の信号成分について共有化した符号化データを入力し、該符号化データに格納された識別コードに基づいて最小値（ＭＩＮ）またはダイナミックレンジ（ＤＲ）の共有データか否かを識別する符号化データ解析手段と、
前記符号化データ解析手段における識別結果に基づいて、共有化された最小値またはダイナミックレンジに基づく復号処理を実行する復号処理手段と、
を有することを特徴とする復号処理装置。
【請求項１６】
前記復号処理手段の適用する復号処理は、ＡＤＲＣ（Adaptive Dynamic Range Coding）に対応する逆量子化処理であり、前記最小値（ＭＩＮ）、およびダイナミックレンジ（ＤＲ）および量子化コードに基づいて復元画素値を算出する処理を実行する構成であることを特徴とする請求項１５に記載の復号処理装置。
【請求項１７】
前記複数の信号成分はＲ、Ｇ、Ｂ各信号成分であることを特徴とする請求項１３または１５に記載の復号処理装置。
【請求項１８】
複数の信号成分からなる画像データの符号化処理を実行する符号化処理方法であり、
画像を構成する分割画素領域をブロックとして設定するブロック分割ステップと、
前記ブロック分割ステップにおいて設定されたブロック内に含まれる画素に対応する複数の信号成分の相関を判定する相関判定ステップと、
前記複数の信号成分に対応する量子化データを生成する量子化ステップであり、前記相関判定ステップにおいて相関ありと判定された信号成分についての量子化コード（Ｑコード）を共有化した符号化データを生成する量子化ステップと、
を有することを特徴とする符号化処理方法。
【請求項１９】
複数の信号成分からなる画像データの符号化処理を実行する符号化処理方法であり、
画像を構成する分割画素領域をブロックとして設定するブロック分割ステップと、
前記ブロック分割ステップにおいて設定されたブロック内に含まれる画素に対応する複数の信号成分の相関を判定する相関判定ステップと、
前記複数の信号成分に対応する量子化データを生成する量子化ステップであり、前記相関判定ステップにおいて相関ありと判定された信号成分についての最小値（ＭＩＮ）、またはダイナミックレンジ（ＤＲ）の少なくともいずれかを共有化した符号化データを生成する量子化ステップと、
を有することを特徴とする符号化処理方法。
【請求項２０】
符号化画像データの復号処理を実行する復号処理方法であり、
前記画像データを構成するブロック単位の符号化データとしてのブロック情報に格納された量子化コード（Ｑコード）を画素値を示す複数の信号成分について共有化した符号化データを入力し、該符号化データに格納された識別コードに基づいて量子化コード共有パターンを識別する符号化データ解析ステップと、
前記符号化データ解析ステップにおける識別結果に基づいて、共有化された量子化コードに基づく復号処理を実行する復号処理ステップと、
を有することを特徴とする復号処理方法。
【請求項２１】
符号化画像データの復号処理を実行する復号処理方法であり、
前記画像データを構成するブロック単位の符号化データとしてのブロック情報に格納されたブロック内画素値の最小値（ＭＩＮ）またはダイナミックレンジ（ＤＲ）の少なくともいずれかを画素値を示す複数の信号成分について共有化した符号化データを入力し、該符号化データに格納された識別コードに基づいて最小値（ＭＩＮ）またはダイナミックレンジ（ＤＲ）の共有データか否かを識別する符号化データ解析ステップと、
前記符号化データ解析ステップにおける識別結果に基づいて、共有化された最小値またはダイナミックレンジに基づく復号処理を実行する復号処理ステップと、
を有することを特徴とする復号処理方法。